(57)【要約】      （修正有）【課題】簡易な構成で、読取ユニットに接続されているケーブルの異常状態を検出する読取装置を提供する。【解決手段】原稿台に載置された原稿に対して移動しながら原稿を光学的に読み取る読取ユニットと、読取ユニットにケーブルを介して接続され読取ユニットを制御する制御手段と、を有する。制御手段は電源が投入されると、読取ユニットをホームポジションに移動させ、ケーブルの異常状態を判定するための信号をケーブルに出力してケーブルの形状の異常を検出する。【選択図】図６
2018085650.tif 000002
【特許請求の範囲】
【請求項１】
原稿台に載置された原稿に対して移動しながら前記原稿を光学的に読み取る読取手段と、
前記読取手段とケーブルを介して接続され、前記読取手段を制御する制御手段と、
前記ケーブルの異常状態を検出する検出手段と、を有する、ことを特徴とする読取装置。
【請求項２】
前記制御手段は、前記ケーブルを介して前記読取手段に信号を送信し、
前記検出手段は、当該送信に応じて前記読取手段から前記ケーブルを介して受信した信号に基づいて、前記ケーブルの形状の異常を検出することを特徴とする請求項１に記載の読取装置。
【請求項３】
前記読取手段は、前記ケーブルを介して受信した信号を前記ケーブルにループバックすることを特徴とする請求項２に記載の読取装置。
【請求項４】
前記検出手段は、前記読取手段から前記ケーブルを介して受信した信号の波形に基づいて、前記ケーブルの形状の異常を検出することを特徴とする請求項２又は３に記載の読取装置。
【請求項５】
前記検出手段は、前記読取手段から前記ケーブルを介して受信し波形整形を行う前の信号の波形に基づいて、前記ケーブルの形状の異常を検出することを特徴とする請求項２乃至４のいずれか１項に記載の読取装置。
【請求項６】
前記検出手段は、前記読取手段から前記ケーブルを介して受信し波形整形を行う前の信号の立ち上がり時点と、当該信号のレベルが閾値に達する時点との差に基づいて、前記ケーブルの形状の異常を検出することを特徴とする請求項２乃至５のいずれか１項に記載の読取装置。
【請求項７】
前記読取手段がホームポジションから離れるほど、前記ケーブルと筐体との接触もしくは近接する領域は小さくなり、
前記検出手段は、前記差が前記読取手段の位置に対応した規定時間より短い場合に、前記ケーブルの形状が異常であると判定する、
ことを特徴とする請求項６に記載の読取装置。
【請求項８】
前記読取手段がホームポジションから離れるほど、前記規定時間は小さくなることを特徴とする請求項７に記載の読取装置。
【請求項９】
前記読取装置の起動時に前記読取手段がホームポジションに位置する場合、前記検出手段は、前記ケーブルを介して前記読取手段に前記信号を送信することを特徴とする請求項２乃至８のいずれか１項に記載の読取装置。
【請求項１０】
前記原稿台上に載置された原稿の読み取りを行うために前記読取手段が当該原稿を走査する場合、前記検出手段は、前記ケーブルを介して前記読取手段に前記信号を送信することを特徴とする請求項２乃至９のいずれか１項に記載の読取装置。
【請求項１１】
前記検出手段により前記ケーブルの形状の異常を検出すると、前記制御手段は、前記読取手段が移動可能な最大量、前記読取手段をホームポジションから移動させ、
当該移動の後、前記検出手段は、前記ケーブルを介して前記読取手段に信号を送信する、ことを特徴とする請求項２乃至１０のいずれか１項に記載の読取装置。
【請求項１２】
前記検出手段により前記ケーブルの形状の異常を検出すると、前記制御手段は、前記原稿台に載置された原稿に対する読取りを制限することを特徴とする請求項２乃至１１のいずれか１項に記載の読取装置。
【請求項１３】
原稿台に載置された原稿に対して移動しながら前記原稿を光学的に読み取る読取手段を備える読取装置において実行される制御方法であって、
前記読取手段とケーブルを介して接続され、前記読取手段を制御する制御工程と、
前記ケーブルの異常状態を検出する検出工程と、
を有することを特徴とする制御方法。
【発明の詳細な説明】
【技術分野】
【０００１】
本発明は、原稿台に載置された原稿を光学的に読み取る読取装置および制御方法に関する。
【背景技術】
【０００２】
画像読取装置では、読取ユニットと画像読取装置本体との間で、読取りのための信号および供給電力を行うためにフレキシブルケーブルが構成されている。ここで、フレキシブルケーブルが原稿読取ガラスに接触し干渉してしまう場合がある。
【０００３】
特許文献１には、読取ユニットに取り付けられたフレキシブルケーブルの一端がキャリッジに固定され、他端の自由端側がフレキシブルケーブルを下方に押さえるように構成された画像読取装置が記載されている。特許文献１では、そのような構成により、フレキシブルケーブルの原稿読取ガラスへの接触を防いでいる。
【先行技術文献】
【特許文献】
【０００４】
【特許文献１】特開平６−９８１０７号公報
【発明の概要】
【発明が解決しようとする課題】
【０００５】
しかしながら、近年、画像読取装置の小型化、薄型化が進んでおり、フレキシブルケーブルと原稿読取ガラスは、ますます近接する傾向にある。そのため、原稿読取ガラスとフレキシブルケーブルの接触を完全に防ぐことが極めて難しくなってきている。
【０００６】
フレキシブルケーブルが原稿読取ガラスに接触すると、原稿読取ガラスとの摩擦によりフレキシブルケーブルの形状に影響を及ぼし、走査速度の変動やフレキシブルケーブル自身の耐久性にも影響を及ぼしてしまう。また、フレキシブルケーブルが異常状態になった場合、読取ユニットの平行性に影響を与え、幾何特性等の画像不良を生じる原因となってしまう。
【０００７】
本発明の目的は、このような従来の問題点を解決することにある。上記の点に鑑み、本発明は、簡易な構成で、読取ユニットに接続されているケーブルの異常状態を検出する読取装置および制御方法を提供することを目的とする。
【課題を解決するための手段】
【０００８】
上記課題を解決するため、本発明に係る読取装置は、原稿台に載置された原稿に対して移動しながら前記原稿を光学的に読み取る読取手段と、前記読取手段とケーブルを介して接続され、前記読取手段を制御する制御手段と、前記ケーブルの異常状態を検出する検出手段と、を有することを特徴とする。
【発明の効果】
【０００９】
本発明によれば、簡易な構成で、読取ユニットに接続されているケーブルの異常状態を検出することができる。
【図面の簡単な説明】
【００１０】
【図１】画像読取装置の構成を示す図である。
【図２】画像読取装置の制御部の構成を示す図である。
【図３】フレキシブルケーブルを伝送する信号波形を説明するための図である。
【図４】差分時間を説明するための図である。
【図５】フレキシブルケーブルの正常状態と異常状態を示す図である。
【図６】画像読取装置の起動時の読取制御処理を示すフローチャートである。
【図７】画像読取装置の読取制御処理を示すフローチャートである。
【図８】自己復帰動作を示すフローチャートである。
【発明を実施するための形態】
【００１１】
以下、添付図面を参照して本発明の実施形態を詳しく説明する。尚、以下の実施形態は特許請求の範囲に係る本発明を限定するものでなく、また本実施形態で説明されている特徴の組み合わせの全てが本発明の解決手段に必須のものとは限らない。なお、同一の構成要素には同一の参照番号を付して、説明を省略する。
【００１２】
図１（ａ）は、本実施形態における画像読取装置１００の断面図である。本実施形態においては、画像読取装置として、例えば複写機等の画像形成装置に用いられる画像読取装置を説明するが、これに限られず、例えば、単体の画像読取装置であっても良い。
【００１３】
画像読取装置１００は、原稿Ｄの画像を光学的に読み取る画像読取部１１０と、画像読取部１１０へ原稿Ｄを給送する原稿給送部１２０とを含んで構成されている。原稿の読取方式には、ユーザによって原稿台ガラス１０上に載置された原稿を読み取る「固定読み」方式と、原稿給送部１２０によって流し読みガラス２０上へ搬送された原稿を読み取る「流し読み」方式とがある。画像読取装置１００は、これらの両方式での読取りが可能である。
【００１４】
原稿給送部１２０は、ヒンジ等の開閉支持部材（不図示）によって画像読取部１１０に対して図１の奥側を中心に回動可能に支持されている。このため、原稿給送部１２０は、原稿台ガラス１０と流し読みガラス２０との上面を開閉可能に構成されている。
【００１５】
「固定読み」方式により原稿画像を読み取る場合は、ユーザによって原稿給送部１２０が開かれて原稿台ガラス１０上に原稿が載置され、原稿給送部１２０が閉じられることで原稿台ガラス１０上に原稿が固定される。原稿台ガラス１０の下方には、読取走査ユニット５０が構成され、走査方向Ｈ上を走査しながら原稿の画像を読み取ることが可能である。ここで、読取走査ユニット５０の走査方向Ｈを副走査方向といい、副走査方向に直交する方向を主走査方向という。
【００１６】
一方、「流し読み」方式により原稿画像を読み取る場合は、ユーザによって原稿載置部３０に載置される原稿Ｄを給送ローラ３１が装置内に引き込み、分離ローラ３２と分離板３３とからなる分離部に給送する。ここで、分離ローラ３２と分離板３３は、給送ローラ３１により複数枚の原稿Ｄが給送された場合に、原稿Ｄを１枚ずつに分離しながら搬送する。
【００１７】
次に、レジセンサＳ１で原稿Ｄの先端を検出すると、レジストローラ対３４の回転を停止させ、分離ローラ３２によって搬送される原稿Ｄの先端を受け止めて原稿Ｄの斜行を矯正する。レジセンサＳ１は、原稿Ｄの斜行矯正のタイミングを計る他、原稿Ｄの後端を検出したことに応じて給送ローラ３１による給送タイミングを計ったり、原稿Ｄの先端及び後端の検出タイミングに応じて原稿Ｄのサイズ判定を行うことに用いられる。
【００１８】
レジストローラ対３４により斜行が矯正された原稿Ｄは、搬送路ＰＳ１を介して流し読みガラス２０上へと搬送される。そして、リードセンサＳ２で検知される読取タイミングに合わせて、流し読みガラス２０の読取位置の下方で停止している読取走査ユニット５０が画像を読み取る。このとき、原稿Ｄは、所定の回転数で回転するプラテンローラ３５により流し読みガラス２０の上面から浮き上がり量を規制された状態で搬送されながら、読取走査ユニット５０によって画像を読み取られる。
【００１９】
また、プラテンローラ３５の原稿搬送方向上流と原稿搬送方向下流にはそれぞれリードローラ対３６、３７が設けられており、原稿Ｄは、読取走査ユニット５０によって画像が読み取られながらリードローラ対３６、３７によって搬送される。原稿Ｄの片面読取を行う場合、画像が読み取られた原稿Ｄは、リードローラ対３７によって反転排出ローラ対３８へ搬送され、原稿排出部３９へ排出される。反転排出ローラ対３８の搬送方向上流側には排出センサＳ３が設けられており、排出センサＳ３による原稿端部の検出タイミングから、原稿Ｄが原稿排出部３９へ排出されたか否かが判定される。
【００２０】
また、原稿Ｄの両面読取を行う場合は、第一面目を読み取った後、原稿Ｄを排出中の反転排出ローラ対３８を停止し、その後逆回転させて原稿Ｄを機内へ引き戻す。そして、フラッパ４０にて搬送路を反転搬送路ＰＳ２に切り替えることで原稿Ｄを再度、搬送路ＰＳ１内に送り込み、読取走査ユニット５０によって第二面目を読み取り、片面読取時と同様に原稿排出部３９へ排出する。
【００２１】
ここで、レジセンサＳ１およびリードセンサＳ２、排出センサＳ３は、それぞれの原稿端部の検知タイミングによって原稿搬送時の滞留ジャムや遅延ジャム等の検出に用いられる。読取走査ユニット５０は、ライン型イメージセンサであり、原稿画像を読み取る場合、主走査方向に延びる光源（後述）から原稿に対して光を照射し、その反射光を検出することによって原稿画像を読み取る。また、読取走査ユニット５０は、駆動ベルト５４に固定され、駆動モータ５５の駆動力が駆動ベルト５４を介して伝達されることで、原稿台ガラス１０の下面のガイド軸５６に沿って副走査方向Ｈ上を往復移動可能である。ここで、駆動モータ５５には、ステッピングモータやＤＣモータ等が用いられる。
【００２２】
図１（ｂ）は、読取走査ユニット５０の断面図である。読取走査ユニット５０は、原稿画像を読み取るための光を照射するための光源５１ａ、５１ｂと、光学レンズ５２と、撮像部５３とを含んで構成される。光源５１ａ、５１ｂはそれぞれ、赤色ＬＥＤ、緑色ＬＥＤ、青色ＬＥＤの３つを備えた白色タイプの導光管を含み、原稿台ガラス１０に対して所定角度だけ傾斜する方向から原稿に対して光を照射する。
【００２３】
そして、光源５１ａ、５１ｂから照射され原稿面上で反射された反射光は、光学レンズ５２によって主走査方向に並んだ複数の光電変換素子から構成される撮像部５３の所定の結像位置へと導かれる。そして、原稿からの反射光が撮像部５３によって撮像されることで原稿の画像データが等倍で読み取られ、不図示の画像メモリに格納される。
【００２４】
尚、主走査方向に並んだ撮像部５３の各光電変換素子には歪み（出力誤差）が存在する。そこで、原稿画像を読み取る前に撮像部５３の出力信号を一様にするために、原稿台ガラス１０の端部に設けられた白色基準板６０を読み取った時の出力信号を用いて歪みを補正するシェーディング補正を行う。また、シェーディング補正時には、光源５１ａ、５１ｂの露光量を基準値に保つために光量調整などが行われる。
【００２５】
図２は、本実施形態における画像読取装置１００の制御部２１０の構成を示す図である。制御部２１０は、例えばコントローラ基板として構成され、画像読取装置１００全体を統括的に制御する。ＣＰＵ２００は、制御部２１０内のシステムバス２０９に接続された各ブロックを制御する。
【００２６】
例えば、ＣＰＵ２００は、各種センサからの検知信号により以下のような制御を実行する。ＣＰＵ２００は、ＤＦ開閉センサ２１８からの検知信号により、原稿給送部１２０の開き状態を検出する。例えば、ＤＦ開閉センサ２１８に設けられたトリガスイッチの機構的な動作に応じた検知信号により、ＣＰＵ２００は、原稿給送部１２０の複数の角度を識別可能である。
【００２７】
また、ＣＰＵ２００は、原稿検知センサ２２０からの検知信号により、原稿載置部３０への原稿の載置を検出し、カバー開閉センサ２１９により、原稿給送部１２０でジャムが発生した際に開けるためのカバーの開閉を検出する。さらに、ＣＰＵ２００は、原稿搬送路上に配置されたタイミングセンサ２２１、レジセンサ２２２、リードセンサ２２３、排紙センサ２２４により、原稿給送部１２０内の搬送路上の原稿を検出する。また、ＣＰＵ２００は、ホームポジション（ＨＰ）検知センサからの検知信号により、読取走査ユニット５０がホームポジションに位置していることを検出する。画像読取センサ２１７は、図１の撮像部５３に含まれるイメージセンサである。本実施形態では、読取走査ユニット５０は、ＣＩＳ方式の画像読取センサ２１７を用いるが、ＣＣＤ方式の画像読取センサ２１７が用いられても良い。
【００２８】
ＣＰＵ２００は、上記の各センサ（センサ２０７として図示）から入力される検知信号に基づいて、以下のようなアクチュエータ２０８を制御する。アクチュエータ２０８は、読取部モータ２１１、搬送モータ２１２、給紙モータ２１３、離間スイッチ２１４、スタンプ２１５を含む。ＣＰＵ２００は、読取部モータ２１１の制御により、読取走査ユニット５０を走査方向に移動させる。また、ＣＰＵ２００は、給紙モータ２１３の制御により、原稿載置部３０に載置された原稿Ｄを分離部から搬送させ、また、搬送モータ２１２の制御により、搬送された原稿を流し読みガラス２０の読取位置へ搬送させる。
【００２９】
また、ＣＰＵ２００は、離間スイッチ２１４の制御により、レジストローラ対３４のローラ対の離間／接触を行わせる。さらに、ＣＰＵ２００は、スタンプ２１５により、搬送される原稿に搬送済みスタンプを付与させる。
【００３０】
ＲＡＭ２０１は、汎用的なＲＡＭであり、ＣＰＵ２００の作業領域及びデータの一時記憶領域として用いられる。ＲＯＭ２０２は、汎用的なＲＯＭであり、画像読取装置１００を駆動するためのファームウェアプログラムや、ファームウェアプログラムを制御するためのブートプログラムを記憶し、ＣＰＵ２００によってＲＡＭ２０１に読み出されて実行される。通信インタフェース（Ｉ／Ｆ）２０３は、外部のコンピュータ端末装置等と有線や無線等のネットワーク媒体を介して接続し、データやジョブ等が送受信される。操作部２０４は、パネルや入力キー等を有し、ユーザによる画像読取装置１００の各種設定操作を受付けたり、ユーザインタフェース画面等を表示したりする。
【００３１】
印刷制御部２０５は、読取走査ユニット５０を含む画像読取部２０６で原稿を読み取って取得された画像データを画像形成装置本体に出力する。画像形成装置本体は、図１では図示されていないが、画像読取部１１０の下方に位置する。画像形成装置本体は、インクジェット記録方式や電子写真方式等のプリンタエンジン、記録媒体であるシートを収納するトレイ、シートをプリンタエンジンの画像形成部へ搬送する搬送路、排出部等を含んで構成されている。また、画像形成装置本体も、プロセッサを有するコントローラを有しており、適宜、画像読取装置２０６のＣＰＵ２００と連携することにより、画像形成装置の機能が実行される。
【００３２】
図３、図４、図５を参照しながら、フレキシブルケーブルの形状の判定について説明する。画像読取装置１００では、制御部２１０は、読取走査ユニット５０とフレキシブルケーブルを介して接続されており、フレキシブルケーブルは、図５に示すように、読取走査ユニット５０が移動する筐体内に屈曲する形で収納されている。正常状態であれば、図５の正常状態５０１、５０３に示すように、フレキシブルケーブルの一部と、筐体の底部の板金との間に接触領域、若しくは、ほぼ近接する領域が生じる。
【００３３】
図３（ａ）は、フレキシブルケーブルが板金に沿って、接触もしくはほぼ近接している状態での波形を示す図である。ＣＰＵ２００は、フレキシブルケーブルの状態判定用の信号として、パルス状態の波形Ａの信号を出力する。出力された信号は、フレキシブルケーブル内を通り、画像読取センサ１０３内でループバックし、波形Ｂとしてフレキシブルケーブル内に戻る。フレキシブルケーブル内に戻った信号は、波形整形回路により波形整形処理されて、制御部２１０のＣＰＵ２００に入力される。その際、フレキシブルケーブルが板金に沿っているので、フレキシブルケーブルと板金との間の浮遊容量により、伝送される波形Ｂには歪みが生じる。
【００３４】
一方、図３（ｂ）は、フレキシブルケーブルが板金に沿っていない状態での波形を示す図である。図３（ａ）と同様に、ＣＰＵ２００は、フレキシブルケーブルの状態判定用の信号として、パルス状態の波形Ａを出力する。出力された信号は、フレキシブルケーブル内を通り、画像読取センサ１０３内でループバックし、波形Ｂとしてフレキシブルケーブル内に戻る。フレキシブルケーブル内に戻った信号は、波形整形回路により波形整形処理されて、制御部２１０のＣＰＵ２００に入力される。その際、フレキシブルケーブルは板金に沿っていないので、フレキシブルケーブルと板金との間の浮遊容量は存在しない。そのために、波形Ｂには歪みが生じない。
【００３５】
図４は、波形の歪みについて説明するための図である。図４（ａ）は、フレキシブルケーブルが板金に沿っている状態について示す図である。まず、波形ＡがＣＰＵ２００によりフレキシブルケーブルに出力される。波形Ａは、前述のように、フレキシブルケーブル内を通り、画像読取センサ１０３内でループバックして制御部２１０に戻る。戻ってきた波形は、フレキシブルケーブルと板金との間の浮遊容量により、波形Ｂのように歪みが生じた波形となる。波形Ｂは、制御部２１０内の波形整形回路により、所定の閾値レベルに基づいて再度、方形波に波形整形される。波形Ｃは、その波形整形の結果得られる波形である。図４（ａ）に示すように、波形整形前の波形Ａと波形Ｃから示されるように、波形に歪みが生じた分、立ち上がり時間に差分が発生することになる。なお、その差分時間は、波形Ｂの立ち上がり時点と、閾値に達する時点との間の時間から求められる。
【００３６】
図４（ｂ）は、フレキシブルケーブルが板金に沿っていない状態について示す図である。図４（ａ）と同様に、波形ＡがＣＰＵ２００によりフレキシブルケーブルに出力される。波形Ａは、フレキシブルケーブル内を通り、画像読取センサ１０３内でループバックして制御部２１０に戻る。ここで、フレキシブルケーブルは板金に沿っていないので、フレキシブルケーブルと板金との間の浮遊容量は存在しない。そのため、波形Ｂには歪みが生じず、制御部２１０内の波形整形回路により再度、方形波に波形整形しても、波形整形前の波形Ａと波形Ｃとの間に、立ち上がり時間に差分は発生しない。本実施形態では、上記のようなフレキシブルケーブルが板金に沿うことにより発生する波形の歪みの現象を用いて、フレキシブルケーブルの形状の正常／異常を判定する。
【００３７】
図５は、フレキシブルケーブルの正常状態と異常状態を示す図である。図５（ａ）は、読取走査ユニット５０がホームポジションに位置する状態を示す図である。ＨＰ検知センサ１０１により、読取走査ユニット５０がホームポジションに位置していることが検出される。図５（ａ）の正常状態５０１の場合、フレキシブルケーブルは板金に沿っている状態となるので、正常状態として、接触若しくは近接する領域に応じた差分時間Ｘが発生する。しかしながら、異常状態５０１に示すようにフレキシブルケーブルが正常状態でなければ、歪みがより小さくなり、差分時間はＸより短くなる。
【００３８】
図５（ｂ）は、読取走査ユニット５０が中間位置（Ａ４サイズ相当）に位置する状態を示す図である。図５（ｂ）の正常状態５０３の場合、フレキシブルケーブルの板金に沿っている部分は、図５（ａ）の板金に沿っている状態に比べると１／２の長さとなる。従って、図５（ｂ）の場合、正常状態として、差分時間Ｘ／２が発生する。しかしながら、異常状態５０４や異常状態５０５に示すようにフレキシブルケーブルが正常状態でなければ、差分時間は、０やＸ／４等、Ｘ／２より短くなる。
【００３９】
図５（ｃ）は、読取走査ユニット５０がホームポジションから最大量移動したフルストローク位置に位置する状態を示す図である。図５（ｃ）の正常状態５０６の場合、フレキシブルケーブルは、伸びきった状態となるので、ケーブルが途中で曲がったりすることなく、板金に沿った状態とならない。従って、図５（ｃ）の場合、正常状態として、差分時間は０となる。
【００４０】
本実施形態では、図５（ａ）〜（ｃ）のように、読取走査ユニット５０の各位置で取得された差分時間に基づいて、フレキシブルケーブルの異常状態を検出する。
【００４１】
図６は、電源が投入された画像読取装置１００の起動時の動作を示すフローチャートである。図６の処理は、例えば、ＣＰＵ２００がＲＯＭ２０２に記憶されたプログラムをＲＡＭ２０１に読み出して実行することにより実現される。画像読取装置１００に電源が投入されると、図６の処理が開始する。
【００４２】
電源が投入されると、Ｓ１０１において、ＣＰＵ２００は、読取走査ユニット５０をホームポジションに移動させる。Ｓ１０２において、ＣＰＵ２００は、フレキシブルケーブルの異常状態を判定するためのＳＰ信号をフレキシブルケーブルに出力する。出力されるＳＰ信号は、図４で説明したような波形Ａである。
【００４３】
Ｓ１０３において、ＣＰＵ２００は、ループバックしてきた信号を受信し、波形整形回路により波形整形し、波形整形前の信号と波形整形後の信号とを比較する。そして、波形整形前の信号の立ち上がり時と、波形整形後の信号の立ち上がり時との差分時間Ｎを取得し、ＲＡＭ等の記憶部に記憶する。ここで、差分時間Ｎは、波形整形前の信号の立ち上がり時と、信号レベルが閾値に達する時点との差から求めても良い。そして、ＣＰＵ２００は、差分時間Ｎが規定時間より短いか否かを判定する。ここで、差分時間Ｎが規定時間より短いと判定された場合には、Ｓ１０５に進み、ＣＰＵ２００は、フレキシブルケーブルが異常状態であることを警告通知し、画像読取装置１００をスタンバイ状態とする。その後、図６の処理を終了する。警告通知は、例えば、操作部２０４に警告メッセージを表示することで行われても良い。一方、差分時間Ｎが規定時間より短くないと判定された場合には、Ｓ１０４において、ＣＰＵ２００は、フレキシブルケーブルは正常状態であると判定し、画像読取装置１００をスタンバイ状態とする。その後、図６の処理を終了する。
【００４４】
図７は、画像読取装置１００の画像読取動作（固定読み）の読取制御処理を示すフローチャートである。図７の処理は、例えば、ＣＰＵ２００がＲＯＭ２０２に記憶されたプログラムをＲＡＭ２０１に読み出して実行することにより実現される。例えば、ユーザが操作部２０４に表示されたメイン画面上でコピー機能の実行を指示すると、図７の処理が開始する。
【００４５】
Ｓ２０１において、ＣＰＵ２００は、原稿台ガラス１０上（原稿台上）に載置された原稿の画像を読取るために、読取走査ユニット５０を走査させる。Ｓ２０２において、ＣＰＵ２００は、原稿サイズ分の走査が終了し、原稿画像の読取りが終了すると、読取走査ユニット５０を停止させる。Ｓ２０３において、ＣＰＵ２００は、読み取った画像から走査対象の原稿サイズがラージ系のサイズであるか否かを判定する。ここで、ラージ系のサイズとは、読取走査ユニット５０がフルストローク分走査する原稿サイズである。ラージ系のサイズであると判定された場合、Ｓ２０４において、ＣＰＵ２００は、読取走査ユニット５０をホームポジションに戻すようにバックスキャンする。読取走査ユニット５０がホームポジションに戻ると、Ｓ２０８において、ＣＰＵ２００は、印刷制御部２０５により、画像形成装置本体の画像形成部と連携し、スキャンで取得された読取データに基づいてコピー機能を実行する。その後、ＣＰＵ２００は、画像読取装置１００をスタンバイ状態とし、図７の処理を終了する。一方、Ｓ２０３でラージ系のサイズでないと判定された場合、Ｓ２０５において、ＣＰＵ２００は、現在の読取走査ユニット５０の位置について、フレキシブルケーブルの異常状態を判定するためのＳＰ信号をフレキシブルケーブルに送信する。
【００４６】
Ｓ２０６において、ＣＰＵ２００は、ループバックしてきた信号を波形整形回路により波形整形し、波形整形前の信号と波形整形後の信号とを比較する。そして、波形整形前の信号の立ち上がり時と、波形整形後の信号の立ち上がり時との差分時間Ｘを取得する。そして、ＣＰＵ２００は、その差分時間Ｘが下記の式（１）の条件を満たすか否かを判定する。
【００４７】
Ｘ  ≧  Ｎ×Ｌ／Ａ  ・・・（１）
ここで、Ｎは、Ｓ１０２においてホームポジションで取得された差分時間である。また、Ｌは、読取走査ユニット５０がホームポジションから移動した距離であり、例えば原稿がＡ４サイズ相当であれば、読取走査ユニット５０がフルストロークで走査可能な距離のおよそ１／２となる。Ａは、読取走査ユニット５０がフルストロークで走査可能な距離である。つまり、フレキシブルケーブルが正常状態であれば、式（１）の右辺は、読取走査ユニット５０の位置に対応した値、例えばＮ／２となる。
【００４８】
差分時間Ｘが式（１）の条件を満たすと判定された場合、Ｓ２０７に進み、差分時間Ｘが式（１）の条件を満たさないと判定された場合、Ｓ２０９に進む。Ｓ２０７において、ＣＰＵ２００は、フレキシブルケーブルは正常状態であると判定し、読取走査ユニット５０をホームポジションに戻すようにバックスキャンする。Ｓ２０７の後は、Ｓ２０８の処理が実行される。一方、Ｓ２０９において、ＣＰＵ２００は、自己復帰動作を実行し、その後、図７の処理を終了する。自己復帰動作については、図８において後述する。図７の処理においては、Ｓ２０８でコピー動作が行われているが、読取データを用いた処理であれば、ファクシミリ機能や送信機能等、他の機能を実行する処理であっても良い。
【００４９】
図８は、図７のＳ２０９の自己復帰動作を示すフローチャートである。Ｓ３０１において、ＣＰＵ２００は、読取走査ユニット５０をフルストロークで走査可能な距離分、読取走査ユニット５０を移動させる。Ｓ３０２において、ＣＰＵ２００は、読取走査ユニット５０をフルストロークで走査可能な距離分移動させた位置で、読取走査ユニット５０を停止させる。
【００５０】
本実施形態では、図７のＳ２０６で差分時間Ｘが式（１）の条件を満たさないと判定された場合、フルストロークで走査可能な距離分、読取走査ユニット５０を移動させる。その動作により、図５（ｃ）に示すように、フレキシブルケーブルを一旦、伸長状態とすることでケーブル形状を矯正することができる。
【００５１】
Ｓ３０３において、ＣＰＵ２００は、図７のＳ２０２で停止させた位置まで、読取走査ユニット５０をバックスキャンする。Ｓ３０４において、ＣＰＵ２００は、フレキシブルケーブルの異常状態を判定するためのＳＰ信号をフレキシブルケーブルに出力する。
【００５２】
Ｓ３０５において、ＣＰＵ２００は、ループバックしてきた信号を波形整形回路により波形整形し、波形整形前の信号と波形整形後の信号とを比較する。そして、波形整形前の信号の立ち上がり時と、波形整形後の信号の立ち上がり時との差分時間Ｘを取得する。そして、ＣＰＵ２００は、その差分時間Ｘが式（１）の条件を満たすか否かを判定する。ここで、差分時間Ｘが式（１）の条件を満たすと判定された場合、Ｓ３０６において、ＣＰＵ２００は、フレキシブルケーブルの状態が正常状態に復帰したと判定し、読取走査ユニット５０をホームポジションまでバックスキャンする。その後、ＣＰＵ２００は、画像読取装置１００をスタンバイ状態とし、図８の処理を終了する。
【００５３】
一方、差分時間Ｘが式（１）の条件を満たさないと判定された場合、Ｓ３０７において、ＣＰＵ２００は、フレキシブルケーブルの状態が正常状態に復帰していないと判定する。そして、読取走査ユニット５０をホームポジションまでバックスキャンし、画像読取装置１００を縮退モードとしてスタンバイ状態とする。その後、図８の処理を終了する。
【００５４】
縮退モードとは、固定読みを禁止し、原稿給送装置から給紙された原稿を読み取る流し読みのみ実行可能とするモードのことである。つまり、自己復帰動作を行ったにも関わらずフレキシブルケーブルの状態が異常状態のままであれば、固定読みを実行し続けると、読取走査ユニット５０の走査速度の変動により色ずれが発生したり、フレキシブルケーブルの耐久性に影響を及ぼすおそれがある。本実施形態では、Ｓ３０７において固定読みを禁止することにより、そのようなおそれを事前に防ぐことができる。
【００５５】
Ｓ３０７で縮退モードに移行するとともに、ＣＰＵ２００は、画像読取装置１００が縮退モードであるという情報をＲＯＭ等の不揮発性メモリに格納しておく。そして、操作部にフレキシブルケーブルの確認や交換等、メンテナンスが必要である旨のメッセージを警告表示するようにしても良い。サービスマン等によるメンテナンスが行われた際には、図６において説明したように、読取走査ユニット５０をホームポジションに位置させ、ＳＰ信号を出力する処理を実行するようにしても良い。その際、ホームポジションにおける差分時間が規定時間より短いか否かを判定し、差分時間が規定時間より短くないと判定したならば、フレキシブルケーブルは正常状態であると判定して、不揮発性メモリに格納した縮退モードの情報を削除する。ＣＰＵ２００は、縮退モードの情報を削除すると、固定読みの禁止を解除する。このように、フレキシブルケーブルの異常状態を検出して縮退モードに移行すると、固定読みの実行が制限される。
【００５６】
若しくは、Ｓ３０７で縮退モードに移行した場合に、固定読みを禁止する以外の方法が実行されても良い。例えば、固定読みを禁止せず、操作部２０４を介して固定読みの実行指示を受け付けるときに、フレキシブルケーブルが異常状態であり流し読みを推奨するメッセージを表示するようにしても良い。また、その際に、固定読みを実行するか、読取をキャンセルするか、若しくは、流し読みを行うかについての選択画面を表示するようにしても良い。
【００５７】
以上のように、本実施形態によれば、読取ユニットの平行性を損なうフレキシブルケーブルの異常状態を簡易な構成で検出し、画像不良を防ぐことができる。また、本実施形態では、フレキシブルケーブルの異常屈曲等を検知した場合には、自己復帰動作が行われる。自己復帰動作によってもなおフレキシブルケーブルの異常状態を修正できない場合、縮退モードに移行し、フレキシブルケーブルに影響がない画像読取（流し読み）を動作可能にし、サービスマンに警告通知し、フレキシブルケーブルの交換を促すことができる。
【符号の説明】
【００５８】
５０  読取走査ユニット：  １００  画像読取装置：  ２００  ＣＰＵ：  ２０１  ＲＡＭ：  ２０２  ＲＯＭ
【図１】
2018085650.tif 000003
【図２】
2018085650.tif 000004
【図３】
2018085650.tif 000005
【図４】
2018085650.tif 000006
【図５】
2018085650.tif 000007
【図６】
2018085650.tif 000008
【図７】
2018085650.tif 000009
【図８】
2018085650.tif 000010